(57)【要約】【課題】電極キーの操作状態が良くないことを検出するために別の手段を必要とせず、機器の制御を正しく行うことが可能な静電タッチスイッチを用いた入力装置を提供する。【解決手段】操作や設定を入力するための電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換したデジタル符号の誤り訂正および検出を行う誤り訂正検出部と、前記誤り訂正検出部が訂正した符号および誤り検出情報を基に操作された状態を判別して、その結果に基づいて機器の制御を行う制御部とを備え、前記制御部にて操作や設定を正しく判別して正確な制御ができることを特徴とする入力装置。【選択図】図１
2011253661.tif 000002
【特許請求の範囲】
【請求項１】
操作や設定を入力するための電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換したデジタル符号の誤り訂正および検出を行う誤り訂正検出部と、前記誤り訂正検出部が訂正した符号および誤り検出情報を基に操作された状態を判別して、その結果に基づいて機器の制御を行う制御部とを備え、
前記電極キーを正しく操作した時に生じる静電容量から得られるデジタル符号が誤り訂正符号となる面積、形状、配置で構成されており、正しく操作されなかった時は得られたデジタル符号自体を前記誤り訂正検出部により誤り訂正、または誤り検出することで、前記制御部にて操作や設定を正しく判別して正確な制御ができることを特徴とする入力装置。
【請求項２】
操作や設定を入力するための電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換したデジタル符号から特定のオフセット値を除去して誤り訂正符号を取り出すオフセット除去部と、前記オフセット除去部から得た誤り訂正符号の誤り訂正および検出を行う誤り訂正検出部と、前記誤り訂正検出部が訂正した符号および誤り検出情報を基に操作された状態を判別して、その結果に基づいて機器の制御を行う制御部とを備え、
前記電極キーを正しく操作した時に生じる静電容量から得られるデジタル符号が誤り訂正符号に特定のオフセット値を加算した値となる面積、形状、配置で構成されており、正しく操作されなかった時は得られたデジタル符号から特定のオフセット値を除去し、前記誤り訂正検出部により誤り訂正、または誤り検出することで、前記制御部にて操作や設定を正しく判別して正確な制御ができることを特徴とする入力装置。
【請求項３】
隣接する前記電極キーの符号の値が相互間で差異が大きくなるように配置しておくことで、正しく操作しなかった時に前記誤り訂正検出部により誤り訂正、または誤り検出をより明確に判別できることを特徴とする請求項１または請求項２に記載の入力装置。
【請求項４】
操作や設定を入力するための複数の電極からなる電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換した複数のデジタル符号を電極の配置位置に対応した重み付けを行って合成する重み付け合成部と、前記重み付け合成部からのデジタル符号を誤り訂正および検出を行う誤り訂正検出部と、前記誤り訂正検出部が訂正した符号および誤り検出情報を基に操作された状態を判別し、その結果に基づいて機器の制御を行う制御部とを備え、
前記電極キーの中心に近く配置された電極のデジタル符号に重み付けを大きくすることにより、正しく操作されなかった時に得られるデジタル符号が誤り訂正、または誤り検出しやすくすることで前記制御部にて操作や設定を正しく判別して正確な制御ができることを特徴とする入力装置。
【請求項５】
操作や設定を入力するための複数の電極からなる電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換した複数のデジタル符号を誤り訂正および検出を行う誤り訂正検出部と、前記誤り訂正検出部が訂正した複数の符号および誤り検出情報を基に操作された状態を判別し、その結果に基づいて機器の制御を行う制御部とを備え、
前記電極キーの中心から離れて配置された電極の誤り訂正符号に訂正能力の高い符号を割り当てることにより、正しく操作されなかった時に得られるデジタル符号が誤り訂正、ま
たは誤り検出しやすくすることで前記制御部にて操作や設定を正しく判別して正確な制御ができることを特徴とする入力装置。
【請求項６】
電極キーを直線状、または円状に配置して機器の可変量を操作することを目的とした入力装置において、１つの電極キーの中心に配置された電極に対して可変量を制御するために操作する方向に電極間相互で特異な距離で他の電極の配置位置を少しずつずらして配置することで、操作されている電極キー、および可変量を制御するために操作しようとする方向を正しく判別して正確な制御ができることを特徴とする請求項５記載の入力装置。
【発明の詳細な説明】
【技術分野】
【０００１】
本発明は、電極キーと人体の間に生じる静電容量の変化を検出して電気信号に変えることで操作スイッチのＯＮ／ＯＦＦと同じ機能を実現する静電タッチスイッチを用いた入力装置に関するものである。
【背景技術】
【０００２】
従来、電気機器の機能の選択や制御を行うために入力装置に複数のスイッチまたは可変装置が備えられている。しかし、メンテナンスやデザイン上の必要性から入力装置の形状を平坦にする必要のある電気機器、例えばＩＨクッキングヒータなどがある。これらの電気機器では、従来のメカニカルなスイッチや可変装置はメンテナンス性やデザイン性を考慮した入力装置を構成することができないと言う課題があった。このため、メンテナンス性やデザイン性を考慮した入力装置を構成するために、電極キーと人体の間に生じる静電容量の変化を検出し電気信号に変える静電容量センサ部と、前記静電容量センサ部からの電気信号によってユーザーが接触した前記電極キーに割り当てられた機能や制御内容を判別して機器の制御を行う制御部とを備えることで、従来のメカニカルなスイッチや可変装置に代えて、操作面に配置した平面上の電極キーによって操作スイッチや可変装置を実現する方法が考案されている。
【０００３】
図１５に、従来考案されている静電タッチスイッチを用いたＩＨクッキングヒータの入力装置のブロック図を示す。以下、図１５を参照して従来考案されている静電タッチスイッチを用いた入力装置の構成について簡単に説明する。人体は多くの水分を含んでいるため導通性があり、図１５のように操作部１０３のような絶縁物の裏面に貼り付けた電極部１０１に人の指１０２を近づけると、人体を通じて電流が流れる。電極部１０１と人の指１０２の間に電流が流れることにより静電容量が増加し入力容量ａが発生する。静電容量センサ部１０４はこの入力容量ａを検知し、入力電気信号ｂに変えてＡ／Ｄ部１０５に送る。前記Ａ／Ｄ部１０５はアナログ値の入力電気信号ｂをデジタル化し入力情報信号ｃに変換し、制御部１０６に送る。前記制御部１０６は、入力情報信号によってユーザーが接触した電極キーに割り当てられた機能や制御内容を判別して、加熱装置１０７の制御を行う。このように、従来のメカニカルなスイッチや可変装置と同じく、操作面に配置した平面上の電極キーによって操作スイッチや可変装置を実現している
以上のような構成の従来考案されている静電タッチスイッチを用いたＩＨクッキングヒータの入力装置において、Ａ／Ｄ後に補正を行って加熱制御を行う手順について、図１６の従来例の制御手順例にて説明する。スイッチ操作が行われると、前記電極部１０１に前記人の指１０２が近づくことで静電容量が増加し前記静電容量センサ部１０４はこの入力容量を電気信号に変え、更に前記Ａ／Ｄ部１０５はアナログ値の電気信号をデジタル化し入力情報信号に変換し、前記制御部１０６に送る。前記制御部１０６は、入力情報信号によってユーザーが接触した電極キーに割り当てられた機能や制御内容を判別して前記加熱装置１０７の制御を行う。この時、設計時の実験結果から得られた補正値を入力情報に加減算して電極キーの判別することで、間違った電極キーが操作されたとして意図されない制御を行わないようにすることができるのである。また、設計時の実験結果から得られた補正値を用いる代わりに間違った操作を検出する別回路を設け、その状態を監視・加味して判別することで意図されない制御を行わないようにすることができるのである。
【先行技術文献】
【特許文献】
【０００４】
【特許文献１】特開２００６−３０２３４８号公報
【発明の概要】
【発明が解決しようとする課題】
【０００５】
しかしながら上記従来の静電タッチスイッチを用いた入力装置では、配置した電極キーに正確に触れていないと正しく検出できない場合があり、そのため従来の静電タッチスイッチを用いた入力装置では、指先での細かな操作が必要で、正しく操作できていないと意図しない動作を指示してしまうことがあった。そのため、電極キーへの操作状態が良くない場合でも正しい操作情報を得ることができる電極の面積、形状、配置を実験的に求めて何度も微調整することや外付部品の定数やＡ／Ｄ後の補正値を微修正させる必要があった。また、操作が適切に行われていないことを検知するエラー信号検知回路を用いてタッチ位置の検知を補正する必要があり、電極からの情報だけで、直接正しい操作情報を得ることが困難であった。本発明は上記課題を解決するため、電極キーへの操作状態が良くないことを検出するための別の手段を必要せず、誤り訂正可能な符号に対応した電極を構成して訂正可能とし正確な入力情報を得ることを可能とすることで、機器の制御を意図したとおりに正しく行うことが可能な静電タッチスイッチを用いた入力装置の提供を目的とする。
【課題を解決するための手段】
【０００６】
上記目的を達成するために本発明の入力装置は、操作や設定を入力するための電極部と、前記電極部と人の指の間に生じる静電容量を検出し相関した電気信号に変える静電容量センサ部と、前記静電容量センサ部からの電気信号をデジタル符号に変換するＡ／Ｄ部と、前記Ａ／Ｄ部が変換したデジタル符号の誤り訂正および検出を行う誤り訂正検出部と、前記誤り訂正検出部が訂正した符号および誤り検出情報を基に操作された状態を判別して、その結果に基づいて機器の制御を行う制御部とを備え、前記電極キーを正しく操作した時に生じる静電容量から得られるデジタル符号が誤り訂正符号となる面積、形状、配置で構成し、正しく操作されなかった時は得られたデジタル符号自体を前記誤り訂正検出部により誤り訂正、または誤り検出することにより、電極キーへの操作状態が良くない場合でも符号化された入力情報を直接復号することで、電極キーへの操作状態が良くないことを検出するための別の手段が必要とすることなく機器の制御を正しく行うことができる。
【発明の効果】
【０００７】
本発明の入力装置によれば、前記電極キーを正しく操作した時に生じる静電容量から得られるデジタル符号が誤り訂正符号となる面積、形状、配置で構成し、正しく操作されなかった時は得られたデジタル符号自体を前記誤り訂正検出部により誤り訂正、または誤り検出することを可能にすることで、電極の面積、形状、配置や外付部品の定数、Ａ／Ｄ後の補正値を実験的に求めて何度も微調整することがなく、また操作が適切に行われていないことを検知するエラー信号検知回路を用いてタッチ位置の検知を補正する必要も無く、これにより簡単に電極設定ができ、かつ電極キーへの操作状態が良くないことを検出するための別の手段が必要とすることなく機器の制御を正しく行うことができる。
【図面の簡単な説明】
【０００８】
【図１】本発明の実施の形態１における入力装置のブロック図
【図２】本発明の実施の形態１における入力装置の制御手順図
【図３】誤り訂正符号の概念説明図
【図４】本発明の実施の形態１における電極の実施例説明図
【図５】本発明の実施の形態２における入力装置のブロック図
【図６】本発明の実施の形態２における入力装置の制御手順図
【図７】本発明の実施の形態２における誤り訂正符号の実施例説明図
【図８】本発明の実施の形態３における入力装置のブロック図
【図９】本発明の実施の形態３における入力装置の制御手順図
【図１０】本発明の実施の形態４における入力装置のブロック図
【図１１】本発明の実施の形態４における入力装置の制御手順図
【図１２】本発明の実施の形態５における入力装置のブロック図
【図１３】本発明の実施の形態５における入力装置の制御手順図
【図１４】本発明の実施の形態６の動作とその効果についての説明図
【図１５】従来の入力装置のブロック図
【図１６】従来の入力装置の制御手順図
【発明を実施するための形態】
【０００９】
本発明の請求項１の入力装置は、操作や設定を入力するための電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換したデジタル符号の誤り訂正および検出を行う誤り訂正検出部と、前記誤り訂正検出部が訂正した符号および誤り検出情報を基に操作された状態を判別して、その結果に基づいて機器の制御を行う制御部とを備え、前記電極キーを正しく操作した時に生じる静電容量から得られるデジタル符号が誤り訂正符号となる面積、形状、配置で構成されており、正しく操作されなかった時は得られたデジタル符号自体を前記誤り訂正検出部により誤り訂正、または誤り検出することにより、前記制御部にて操作や設定を正しく判別して正確な制御することができる。
【００１０】
また、本発明の請求項２の入力装置は、操作や設定を入力するための電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換したデジタル符号から特定のオフセット値を除去して誤り訂正符号を取り出すオフセット除去部と、前記オフセット除去部から得た誤り訂正符号の誤り訂正および検出を行う誤り訂正検出部と、前記誤り訂正検出部が訂正した符号および誤り検出情報を基に操作された状態を判別して、その結果に基づいて機器の制御を行う制御部とを備え、前記電極キーを正しく操作した時に生じる静電容量から得られるデジタル符号が誤り訂正符号に特定のオフセット値を加算した値となる面積、形状、配置で構成されており、正しく操作されなかった時は得られたデジタル符号から特定のオフセット値を除去し、前記誤り訂正検出部により誤り訂正、または誤り検出することにより、前記制御部にて操作や設定を正しく判別して正確な制御することができる。
【００１１】
本発明の請求項３の入力装置では、前記請求項１および請求項２の入力装置において、隣接する前記電極キーの符号の値が相互間で差異が大きくなるように配置しておくことで、正しく操作しなかった時に前記誤り訂正検出部により誤り訂正、または誤り検出をより明確に判別できる。
【００１２】
本発明の請求項４の入力装置では、操作や設定を入力するための複数の電極からなる電極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換した複数のデジタル符号を電極の配置位置に対応した重み付けを行って合成する重み付け合成部と、前記重み付け合成部からのデジタル符号を誤り訂正および検出を行う誤り訂正検出部と、前記誤り訂正検出部が訂正した符号および誤り検出情報を基に操作された状態を判別し、その結果に基づいて機器の制御を行う制御部とを備え、前記電極キーの中心に近く配置された電極のデジタル符号に重み付けを大きくすることにより、正しく操作されなかった時に得られるデジタル符号が誤り訂正、または誤り検出しやすくすることで前記制御部にて操作や設定を正しく判別して正確な制御することができる。
【００１３】
本発明の請求項５の入力装置では、操作や設定を入力するための複数の電極からなる電
極キーと、前記電極キーと人体の間に生じる静電容量を検出し相関した電気信号に変える静電容量センサ部と、前記静電容量センサ部からの電気信号をデジタル符号に変換するＡ／Ｄ部と、前記Ａ／Ｄ部が変換した複数のデジタル符号を誤り訂正および検出を行う誤り訂正検出部と、前記誤り訂正検出部が訂正した複数の符号および誤り検出情報を基に操作された状態を判別し、その結果に基づいて機器の制御を行う制御部とを備え、前記電極キーの中心から離れて配置された電極の誤り訂正符号に訂正能力の高い符号を割り当てることにより、正しく操作されなかった時に得られるデジタル符号が誤り訂正、または誤り検出しやすくすることで前記制御部にて操作や設定を正しく判別して正確な制御することができる。
【００１４】
本発明の請求項６の入力装置では、前記請求項５の入力装置で前記電極キーを直線状、または円状に配置して機器の可変量を操作することを目的とした入力装置において、１つの電極キーの中心に配置された電極に対して可変量を制御するために操作する方向に電極間相互で特異な距離で他の電極の配置位置を少しずつずらして配置することで、操作されている電極キー、および可変量を制御するために操作しようとする方向を正しく判別して正確な制御することができる。
【００１５】
以下に、本発明の実施の形態について、図面を参照しながら説明する。
【００１６】
（実施の形態１）
図１は、本発明の実施の形態１における入力装置のブロック図である。ここで、従来例と同一機能を有する部分は、同一符号を付して説明を省略する。
【００１７】
図１において、電極部１０１は予め電極キーを正しく操作した時に生じる静電容量から得られるデジタル符号が誤り訂正符号となる面積、形状、配置で構成されており、電極部１０１と人の指１０２の間に電流が流れることにより静電容量が増加し入力容量ａが発生する。静電容量センサ部１０４はこの入力容量ａを検知し、入力電気信号ｂに変えてＡ／Ｄ部１０５に送る。前記Ａ／Ｄ部１０５はアナログ値の入力電気信号ｂをデジタル化し入力情報信号ｃに変換し、誤り訂正検出部２０１に送る。ここで、もしも正しく操作されなかった時は得られたデジタル符号自体が前述のように誤り訂正符号であるので、前記誤り訂正検出部２０１により誤り訂正、または誤り検出することにより、操作された電極キーを特定できるので、前記制御部１０６にて正しく判別して正確な制御することができる。
【００１８】
次に、図２により本発明の実施の形態１における制御手順について説明する。図１の入力装置において、スイッチ操作が行われると前記電極部１０１での静電容量の増加を前記静電容量センサ部１０４は検知し電気信号に変え、前記Ａ／Ｄ部１０５はデジタル符号情報に変換し、誤り訂正検出を行った後に前記制御部１０６に送る。前記制御部１０６は、誤り訂正検出された入力情報信号によってユーザーが接触した電極キーに割り当てられた機能や制御内容を判別して制御を行う。この時、設計時の実験結果から得られた補正値を入力情報に加減算して電極キーの判別するのではなく、誤り訂正検出にて得られた電極キー特有の情報により操作された電極キーを特定することができるので、正確に意図された制御を行うことができるのである。また、間違った操作を検出する別回路を設ける必要もなく、電極部１０１から得られた情報そのものを誤り訂正検出することで判別することができ、正しく意図された制御を行うができるのである。
【００１９】
ここで、図３にて簡単に誤り訂正の原理を述べる。図３において、符号Ａ、符号Ｂ、符号Ｃがそれぞれ２進数のＡ（０００１）、Ｂ（１１００）、Ｃ（１１１０）である場合、それぞれ任意の１ビットに誤りが発生した場合、Ａは（１００１）（０１０１）（００１１）（００００）の４種類の誤り方があるが、どの場合もＢ、Ｃと判断されることはない。このような関係にある符号の集合体（
符号Ｂと符号Ｃのように１ビットの誤りでどちらかの符号に重なる場合やどちらにでも修復できる可能性がある符号を相互に排除した符号の集合体）を用いることで、ビット情報に誤りがあっても元に戻すことができることが一般に知られている。
【００２０】
次に、このような誤り訂正符号を本発明の電極部で実現する方法の例を図４にて述べる。図４は４ビットで表すことのできる符号を電極パターンに展開する場合の例である。図４において、最も大きな面積を持つＶ部には対応する符号の最上位ビットが１の時に電極パターンとして有りとし０ならば無しとし、次に大きな面積を持つＸ部には対応する符号の第２位ビットが１の時に電極パターンとして有りとし０ならば無しとし、Ｙ部には対応する符号の第３位ビットが１の時に電極パターンとして有りとし０ならば無しとし、Ｚ部には対応する符号の最下位ビットが１の時に電極パターンとして有りとし０ならば無しとすることで、符号と電極パターンの対応関係を構成する。このように対応付けすることで、前記静電容量センサ部１０４で検出される静電容量は、符号の値と相関して大小関係を生じるので、これを前記Ａ／Ｄ部１０５で符号化することで、誤り訂正検出符号を得ることができるのである。
【００２１】
このように本実施の形態では、予め電極キーを正しく操作した時に生じる静電容量から得られるデジタル符号が誤り訂正符号となる面積、形状、配置で構成し、正しく操作されなかった時は得られたデジタル符号自体を誤り訂正検出することにより、操作された電極キーを特定できるので、制御部にて正しく判別して正確な制御することを可能としている。よって、静電タッチスイッチを用いた入力装置で機器制御の正確さを向上できる。
【００２２】
（実施の形態２）
図５は、本発明の実施の形態２における入力装置のブロック図である。
図５では、前記電極キーを正しく操作した時に生じる静電容量から得られるデジタル符号が誤り訂正符号に特定のオフセット値を加算した値となる面積、形状、配置で構成されており、前記Ａ／Ｄ部と前記誤り訂正検出部２０１の間にオフセット除去部３０１が挿入されており、前記Ａ／Ｄ部が変換したデジタル符号から特定のオフセット値を除去して誤り訂正符号を取り出すオフセット除去部と、前記オフセット除去部から得た誤り訂正符号の誤り訂正および検出を行うことができる構造となっている。前記電極キーを正しく操作した時に生じる静電容量から得られるデジタル符号が誤り訂正符号に特定のオフセット値を加算した値となる面積、形状、配置で構成することで、前述の図４に示したような電極を構成する際に、最も面積の大きい部分に相当する最上位ビットがなく前記静電容量センサ部で得られる静電容量の大きさが小さくなりすぎることを抑制することができる。
【００２３】
次に、図６により本発明の実施の形態２における制御手順について説明する。
スイッチ操作からデジタル符号情報に変換までは図２と同じであるが、前記Ａ／Ｄ部が変換したデジタル符号から特定のオフセット値を除去して誤り訂正符号を取り出した後に、誤り訂正符号の誤り訂正および検出を行うことで前記制御部１０６にて正しく判別して正確な制御することができる。
【００２４】
ここで、図７によりオフセットの実例を示す。図７において、電極キーを特定するための情報はｘ４〜ｘ１の４ビットである。これらは１６進数にすると、０ｈ〜Ｆｈの連続した数値である。これをよく知られた誤り訂正符号であるハミング符号とするため、パリティビットｃ１〜ｃ３を付加する。ここで出来上がった７ビットの符号をそのまま使うと、ｘ４〜ｘ１＝０ｈから７ｈまでの符号は最上位ビットが０となり、最も面積の大きい部分に相当する最上位ビットがなく前記静電容量センサ部で得られる静電容量の大きさが小さくなりすぎる。そこで、最上位ビットのｘ５に１を入れる、すなわち、（１０００００００）ｂ＝８０ｈをオフセット値として加算する。このようにすることで、全ての電極部で最も面積の大きい部分は必ず存在するようになり、電極の形成や操作における信号の検出
のしやすさを実現することを可能としている。よって、静電タッチスイッチを用いた入力装置で機器制御の正確さを向上できる。
【００２５】
（実施の形態３）
図８は、本発明の実施の形態３における入力装置の電極部配置説明図である。
図８のブロック図は前記請求項２のブロック図５と同じであるが、複数の隣接する前記電極部１０１の配置方法と前記制御部１０６での判別方法に違いがある。図８に示す例を用いてように前記操作部１０３には、１〜０、＊、＃の表記が正順で配置されているが、対応する制御情報、すなわち各電極で操作した時にＡ／Ｄ部１０５から出力される入力情報信号ｃ、誤り訂正検出部２０１から出力される制御情報ｅは正順ではなく、隣接する前記電極キーの符号の値が相互間で差異が大きくなるように配置（インターリーブ）してある。（なお、この例ではＡ／Ｄ部１０５から出力される入力情報信号ｃ、誤り訂正検出部２０１から出力される制御情報ｅの値は図７と同じとしている。）このようにすることで正しく操作しなかった時にＡ／Ｄ部１０５から出力される入力情報信号ｃの値が隣接するどちらか一方の値に近い方、すなわち大きい方か、小さい方に前記誤り訂正検出部２０１により誤り訂正、または誤り検出をより明確に判別しやすくできる。
【００２６】
図９により本発明の実施の形態３における制御手順について説明する。スイッチ操作から誤り訂正検出までは、図６と同じであるが、隣接する前記電極キーの符号の値が相互間で差異が大きくなるように配置（インターリーブ）してあるので、前記誤り訂正検出部２０１から得た符号と実際に操作された電極キーとの関係をインターリーブ対応表に基づいて判定することで正しい制御を行うことができる。
【００２７】
このように本実施の形態では、隣接する前記電極キーの符号の値が相互間で差異が大きくなるように配置（インターリーブ）することで、正しく操作しなかった時にＡ／Ｄ部１０５から出力される入力情報信号ｃの値が隣接するどちらか一方の値に近い方に前記誤り訂正検出部２０１により誤り訂正、または誤り検出をより明確に判別しやすくすることで、正しい制御を行うことを可能としている。よって、静電タッチスイッチを用いた入力装置で機器制御の正確さを向上できる。
【００２８】
（実施の形態４）
図１０は、本発明の実施の形態４における入力装置のブロック図である。
操作や設定を入力するための電極部１０１は電極キー１つに対して複数用意され電極キーの中心とその周辺に配置される。この時、予め前記電極キーの中心に近く配置された電極のデジタル符号に重み付けを大きくすることにより、正しく操作されなかった時に得られるデジタル符号が誤り訂正、または誤り検出をしやすい構成としておく。各々の前記電極部１０１は、各々個別に前記静電容量センサ部、前記Ａ／Ｄ部に接続され、前記Ａ／Ｄ部が変換した複数のデジタル符号は重み付合成部５０１に入る。前記重み付合成部５０１からのデジタル符号を誤り訂正および検出を行う誤り訂正検出部と、前記誤り訂正検出部が訂正した符号および誤り検出情報を基に操作された状態を判別し、その結果に基づいて機器の制御を行うことで正しく判別して正確な制御することができる。
【００２９】
次に、図１１により本発明の実施の形態Ｘにおける制御手順について説明する。
図１１では、実施の形態１の図２とスイッチ操作からデジタル符号情報に変換までは同じである。
デジタル符号化された情報が複数で、これらを送られてきた前記電極部１０１の場所ごとに重み付け処理をした後に、誤り訂正している点が異なっている。このようにして、電極のデジタル符号に重み付けを大きくすることにより、正しく操作されなかった時に得られるデジタル符号が誤り訂正、または誤り検出をしやすくすることができる。
【００３０】
このように本実施の形態では、予め前記電極キーの中心に近く配置された電極のデジタル符号に重み付けを大きくすることにより、正しく操作されなかった時に得られるデジタル符号が誤り訂正、または誤り検出をしやすい構成として送られてきた前記電極部１０１の場所ごとに重み付け処理をした後に、誤り訂正することで明確に判別しやすくすることで、正しい制御を行うことを可能としている。よって、静電タッチスイッチを用いた入力装置で機器制御の正確さを向上できる。
【００３１】
（実施の形態５）
図１２は、本発明の実施の形態５における入力装置のブロック図である。
図１２では、操作や設定を入力するための電極部１０１は電極キー１つに対して複数用意され電極キーの中心とその周辺に配置される。この時、各々の電極部は正しく操作した時に生じる静電容量から得られるデジタル符号が誤り訂正符号となる面積、形状、配置で構成されており、前記電極キーの中心から遠い位置に配置された電極のデジタル符号の誤り訂正能力を大きくすることにより、正しく操作されなかった時に得られるデジタル符号が誤り訂正、または誤り検出をしやすい構成としておく。各々の前記電極部１０１は、各々個別に前記静電容量センサ部、前記Ａ／Ｄ部、誤り訂正検出部２０１に接続され、誤り訂正された複数のデジタル符号は前記制御部１０６に入る。前記制御部１０６は各デジタル符号の情報に基づいて機器の制御を行うことで正しく判別して正確な制御することができる。
【００３２】
次に、図１３により本発明の実施の形態５における制御手順について説明する。
実施の形態１の図２とスイッチ操作からデジタル符号情報に変換までは同じである。
デジタル符号化された情報が複数で、これらを送られてきた前記電極部１０１の場所ごとに別個の誤り訂正検出符号を誤り訂正している点が異なっている。このようにして、電極のデジタル符号に別個の誤り訂正符号を割り付け、更に電極キーの中心から遠い電極部の誤り訂正検出符号を割りつけることにより、正しく操作されなかった時に得られるデジタル符号が誤り訂正、または誤り検出をしやすくすることができる。
【００３３】
このように本実施の形態では、予め前記電極キーの中心から遠くに配置された電極のデジタル符号に誤り訂正能力の高い符号を割り当てることにより、正しく操作されなかった時に得られるデジタル符号が誤り訂正、または誤り検出をしやすい構成として送られてきた前記電極部１０１の場所ごとに誤り訂正処理をして判別しやすくすることで、正しい制御を行うことを可能としている。よって、静電タッチスイッチを用いた入力装置で機器制御の正確さを向上できる。
【００３４】
（実施の形態６）
図１４は、本発明の実施の形態６における電極部の配置方法を説明した図である。
図１４の内容を実現するためのブロック図は、実施の形態５の図１２と同じである。前記請求項５の入力装置で前記電極キーを直線状、または円状に配置して機器の可変量を操作することを目的とした入力装置において、１つの電極キーの中心に配置された電極に対して可変量を制御するために操作する方向に電極間相互で特異な距離で他の電極の配置位置を少しずつずらして配置することで、操作されている電極キー、および可変量を制御するために操作しようとする方向を正しく判別して正確な制御することができる。図１４で、スイッチＳ１〜Ｓ３は各々３つの電極から構成され、固有の３系列の誤り訂正検出符号、Ｃ１、Ｃ２、Ｃ３から誤り訂正検出情報を得ることができる。  このとき、Ｓ１からＳ３方向に指をスライドすると、Ｃ１から順番にＣ２、Ｃ３の順にエラーが大きくなり訂正し難くなる。このＣ１、Ｃ２、Ｃ３の誤り訂正検出情報を比較観測することで、スイッチ上での指の位置が検出できる。
【００３５】
例えば、スイッチＳ２上でＳ１側に近い位置を触っている場合には、符号系列Ｃ１のＳ
２に割り当てられた誤り訂正検出符号が誤りなし、または訂正可能となり、符号系列Ｃ２のＳ２に割り当てられた誤り訂正検出符号は、誤り訂正可能または誤り検出のみ可能となり、符号系列Ｃ３のＳ２に割り当てられた誤り訂正検出符号は、誤り訂正不能となる。おなじように、スイッチＳ２上でＳ２の中央位置を触っている場合は、符号系列Ｃ１のＳ２に割り当てられた誤り訂正検出符号が誤り検出・訂正可能となり、符号系列Ｃ２のＳ２に割り当てられた誤り訂正検出符号は、誤りなしとなり、符号系列Ｃ３のＳ２に割り当てられた誤り訂正検出符号は、誤り検出・訂正可能となり、スイッチＳ２上でＳ３側に近い位置を触っている場合には、符号系列Ｃ１のＳ２に割り当てられた誤り訂正検出符号が誤り訂正不能となり、符号系列Ｃ２のＳ２に割り当てられた誤り訂正検出符号は、誤り訂正可能または誤り検出のみ可能となり、符号系列Ｃ３のＳ２に割り当てられた誤り訂正検出符号は、誤りなしとなる。このように同じＳ２上に指があっても、その位置が微妙に隣接するスイッチにずれていることを検出することができる。
【００３６】
またＳ１からＳ３に指をスライドさせると、誤り訂正符号の３つの系列Ｃ１  →Ｃ２  →Ｃ３  →Ｃ１．．．の順番にエラーが大きくなり、逆に、Ｓ３からＳ１に指をスライドすると、Ｃ３  →Ｃ２  →Ｃ１  →Ｃ３．．．  と、逆順でエラーが大きくなる。すなわち、Ｃ１、Ｃ２、Ｃ３のエラーの変化動向を観測することで、指の移動方向も検出できる。  このようにして、操作されている電極キー上での位置および可変量を制御するために操作しようとしている指の移動方向を検知することができる。
【００３７】
このように本実施の形態では、前記電極キーを直線状、または円状に配置して機器の可変量を操作することを目的とした入力装置において、１つの電極キーの中心に配置された電極に対して可変量を制御するために操作する方向に電極間相互で特異な距離で他の電極の配置位置を少しずつずらして配置することで、操作されている電極キー、および可変量を制御するために操作しようとする方向を正しく判別して正確な制御することを可能としている。よって、静電タッチスイッチを用いて直線状、または円状に配置して機器の可変量を操作することを目的とした入力装置で機器制御の正確さを向上できる。
【産業上の利用可能性】
【００３８】
本発明によれば、電極キーへの操作状態が良くない場合でも符号化された入力情報を直接誤り訂正復号することで正しい操作情報を得ることができるので、電極キーへの操作状態が良くないことを検出するための別の手段や電極の面積、形状、配置を何度も実験的に微調整する必要がなく、かつ誤り訂正可能なので正確に入力情報を知ることができる。このため、機器の制御をより正確に行うことが可能な静電タッチスイッチを用いた入力装置を提供できる点で有用である。
【符号の説明】
【００３９】
１０１  電極部
１０２  人の指
１０３  操作部
１０４  静電容量センサ部
１０５  Ａ／Ｄ部
１０６  制御部
１０７  加熱装置
２０１  誤り訂正検出部
３０１  オフセット除去部
５０１  重み付合成部
【図１】
2011253661.tif 000003
【図２】
2011253661.tif 000004
【図３】
2011253661.tif 000005
【図５】
2011253661.tif 000006
【図６】
2011253661.tif 000007
【図９】
2011253661.tif 000008
【図１０】
2011253661.tif 000009
【図１１】
2011253661.tif 000010
【図１２】
2011253661.tif 000011
【図１３】
2011253661.tif 000012
【図１５】
2011253661.tif 000013
【図１６】
2011253661.tif 000014
【図４】
2011253661.tif 000015
【図７】
2011253661.tif 000016
【図８】
2011253661.tif 000017
【図１４】
2011253661.tif 000018